(57)【特許請求の範囲】
【請求項１】
周方向に稜部を介して連なる各一対の側面板(1,2)からそれぞれフラップ(4,5)が延出され、前記側面板(1,2)から折り曲げられた各一対のフラップ(4,5)が順次重ね合わされて接着され、封緘状態とされる包装箱において、
前記各一対のフラップ(4,5)のうち、いずれか一対には、先端縁中間部から基部方向へ向かって分割破断線(11)が入れられると共に、少なくともその基部に両側端間に及ぶ切取破断線(12)が入れられており、
前記分割破断線(11)及び切取破断線(12)の破断に伴い、前記フラップ(4,5)同士が接着されたままの状態で開くものであって、
前記分割破断線(11)は、破断の始端側から終端側へかけて、開封時のフラップ(5)の引張方向へ傾斜し又は湾曲して延びていることを特徴とする包装箱。
【請求項２】
前記分割破断線(11)を有する一方の一対のフラップ(4)が内側に、他方の一対のフラップ(5)が外側に重なり合うことを特徴とする請求項１に記載の包装箱。
【請求項３】
前記分割破断線(11)を有する一方の一対のフラップ(5)が外側に、他方の一対のフラップ(4)が内側に重なり合うことを特徴とする請求項１に記載の包装箱。
【請求項４】
前記分割破断線(11)は、断続する多数の切目(11a)が誘導部を有するジッパ型とされていることを特徴とする請求項１乃至３のいずれか１項に記載の包装箱。
【請求項５】
前記フラップ(4,5)には、開封用の手掛部(14)からの引っ張りに伴い、膨出方向へ撓みやすくするための補助罫線(16)が入れられていることを特徴とする請求項１乃至４のいずれか１項に記載の包装箱。
【請求項６】
前記分割破断線(11)の破断の始端側に臨んで、切欠部(11b)が設けられていることを特徴とする請求項１乃至５のいずれか１項に記載の包装箱。
【請求項７】
前記フラップ(4,5)の基部には、前記切取破断線(12)に近接して並行するように、表面側が窪む谷折り方向への折曲強度を弱めた逆罫線(13)が入れられていることを特徴とする請求項１乃至６のいずれか１項に記載の包装箱。
【請求項８】
周方向に稜部を介して連なる各一対の側面板(1,2)からそれぞれフラップ(4,5)が延出され、前記側面板(1,2)から折り曲げられた各一対のフラップ(4,5)が順次重ね合わされて接着され、封緘状態とされる包装箱において、
前記各一対のフラップ(4,5)のうち、いずれか一対には、先端縁中間部から基部方向へ向かって分割破断線(11)が入れられると共に、少なくともその基部に両側端間に及ぶ切取破断線(12)が入れられており、
前記分割破断線(11)及び切取破断線(12)の破断に伴い、前記フラップ(4,5)同士が接着されたままの状態で開くものであって、
前記切取破断線(12)に臨んで隣り合う側面板(1,2)の上部には、側面板(1,2)同士の境界の罫線から二股に分岐して斜め上方へ延びる折込線(18)が入れられ、
前記折込線(18)に挟まれた部分を押し込むと、前記側面板(1,2)同士が隣り合うコーナー上部に、内側へ窪んだ支持凹部(18a)が形成されることを特徴とする包装箱。
【発明の詳細な説明】
【技術分野】
【０００１】
この発明は、陳列等のため容易に開封できる機能を備えた包装箱に関するものである。
【背景技術】
【０００２】
商品の配送及び陳列に使用される段ボール製の包装箱として、本出願人は、図３７に示すようなものを提案している（下記特許文献１、図６及び図７参照）。
【０００３】
この包装箱は、図３７（３７Ａ）に示すように、周方向に稜部を介して各一対の側面板５１，５２が連なり、側面板５１，５２からそれぞれフラップ５３，５４が延出され、側面板５１，５２とフラップ５３，５４の境界に、切目が断続するミシン目状の切取破断線５５が入れられ、側面板５１に上端から下向き凸形となる押込片５６が破断線により形成されたものとなっている。
【０００４】
この包装箱を使用して商品を包装する際には、天面が開口した状態で、商品Ｇを箱内に収納した後、各一対のフラップ５３，５４を内側へ折り曲げて重ね合わせ、ホットメルト接着剤を噴き付けた接着部５７で接着して封緘する。
【０００５】
また、この包装箱を商品陳列のため開封する際には、図３７（３７Ｂ）に示すように、押込片５６を押し込んで、天面端部に手を掛け、一方のフラップ５３とその上に重なる一対のフラップ５４を引き上げて、他方のフラップ５３の方向へ引っ張ることにより、切取破断線５５を破断させ、側面板５１，５２から各一対のフラップ５３，５４を接着状態のまま一体として切り取る。
【０００６】
この際、フラップ５３，５４が強力に貼り合わされた接着部５７を剥がす必要がないので、開封に大きな力を要することがなく、天面を全体的に開口させることができる。
【先行技術文献】
【特許文献】
【０００７】
【特許文献１】特開２０１６−９４２４７号公報
【発明の概要】
【発明が解決しようとする課題】
【０００８】
しかしながら、上記のような包装箱では、開封に際し、天面を一端から他端まで全幅にわたって連続的に切り開くので、材料等の条件によっては、開封しにくい場合もある。
【０００９】
そこで、この発明は、多様な材料や寸法・形状に適合して、陳列に伴う開封作業を容易に行うことができる包装箱を提供することを課題とする。
【課題を解決するための手段】
【００１０】
上記課題を解決するため、この発明は、周方向に稜部を介して連なる各一対の側面板からそれぞれフラップが延出され、前記側面板から折り曲げられた各一対のフラップが順次重ね合わされて接着され、封緘状態とされる包装箱において、
前記各一対のフラップのうち、いずれか一対には、先端縁中間部から基部方向へ向かって分割破断線が入れられると共に、少なくともその基部に両側端間に及ぶ切取破断線が入れられており、
前記分割破断線及び切取破断線の破断に伴い、前記フラップ同士が接着されたままの状態で開くようにしたのである。
【００１１】
この包装箱では、前記分割破断線を有する一方の一対のフラップが内側に、他方の一対のフラップが外側に重なり合うものとしてもよく、前記分割破断線を有する一方の一対のフラップが外側に、他方の一対のフラップが内側に重なり合うものとしてもよい。
【００１２】
そして、前記分割破断線は、断続する多数の切目が誘導部を有するジッパ型とすればよく、また、破断の始端側から終端側へかけて、開封時のフラップの引張方向へ傾斜し又は湾曲して延びているものとすればよい。
【００１３】
また、前記フラップには、開封用の手掛部からの引っ張りに伴い、膨出方向へ撓みやすくするための補助罫線が入れられているものとしてもよい。
【００１４】
また、前記分割破断線の破断の始端側に臨んで、切欠部が設けられているものとして、前記分割破断線を切欠部から容易に破断できるようにしてもよい。
【００１５】
そのほか、前記フラップの基部には、前記切取破断線に近接して並行するように、表面側が窪む谷折り方向への折曲強度を弱めた逆罫線が入れられているものとし、商品を箱詰めする際、フラップを逆罫線沿いに外側へ折り返せるようにしてもよい。
【００１６】
また、前記切取破断線に臨んで隣り合う側面板の上部には、側面板同士の境界の罫線から二股に分岐して斜め上方へ延びる折込線が入れられ、
前記折込線に挟まれた部分を押し込むと、前記側面板同士が隣り合うコーナー上部に、内側へ窪んだ支持凹部が形成されるものとし、複数個の包装箱を積み上げた際、上段側の包装箱が下段側の包装箱の支持凹部で支持されるようにして、安定した状態で積上陳列できるようにしてもよい。
【発明の効果】
【００１７】
この発明に係る包装箱では、重なり合ったフラップのうち、外側のフラップに手を掛けて引っ張るだけで、分割破断線及び切取破断線が破断して、分割破断線で分割された一方のフラップと他方のフラップとが接着状態で一体となって開くので、材料や寸法・形状に関わらず、容易に開封することができ、商品陳列時の作業負荷が軽減される。
【図面の簡単な説明】
【００１８】
【図１】この発明の第１参考形態に係る段ボール製包装箱のブランクを示す図
【図２】同上の組立封緘状態を示す斜視図
【図３】同上の商品挿入時におけるフラップの外側への折曲状態を示す斜視図
【図４】同上の封緘状態からの開封時における（４Ａ）分割破断線の破断過程を示す斜視図、（４Ｂ）切取破断線の破断過程を示す斜視図
【図５】同上の開封後の（５Ａ）フラップ開放状態を示す斜視図、（５Ｂ）フラップ切取状態を示す斜視図
【図６】この発明の第１実施形態に係る段ボール製包装箱のブランクを示す図
【図７】同上の組立封緘状態を示す斜視図
【図８】同上の商品挿入時におけるフラップの外側への折曲状態を示す斜視図
【図９】同上の封緘状態からの開封時における（９Ａ）分割破断線の破断過程を示す斜視図、（９Ｂ）切取破断線の破断過程を示す斜視図
【図１０】同上の開封後の（１０Ａ）フラップ開放状態を示す斜視図、（１０Ｂ）フラップ切取状態を示す斜視図
【図１１】この発明の第２実施形態に係る段ボール製包装箱のブランクを示す図
【図１２】同上の組立封緘状態を示す斜視図
【図１３】同上の商品挿入時におけるフラップの外側への折曲状態を示す斜視図
【図１４】同上の封緘状態からの開封時における（１４Ａ）分割破断線の破断過程を示す斜視図、（１４Ｂ）切取破断線の破断過程を示す斜視図
【図１５】同上の開封後の（１５Ａ）フラップ開放状態を示す斜視図、（１５Ｂ）フラップ切取状態を示す斜視図
【図１６】この発明の第３実施形態に係る段ボール製包装箱のブランクを示す図
【図１７】同上の組立封緘状態を示す斜視図
【図１８】同上の商品挿入時におけるフラップの外側への折曲状態を示す斜視図
【図１９】同上の封緘状態からの開封時における（１９Ａ）外側のフラップへの手掛状態を示す斜視図、（１９Ｂ）分割破断線の破断過程を示す斜視図、（１９Ｃ）切取破断線の破断過程を示す斜視図
【図２０】同上の開封後の（２０Ａ）フラップ開放状態を示す斜視図、（２０Ｂ）フラップ切取状態を示す斜視図
【図２１】同上のフラップ切取後の（２１Ａ）積み上げのための上角部の押込状態を示す斜視図、（２１Ｂ）積上陳列状態を示す斜視図
【図２２】この発明の第２参考形態に係る段ボール製包装箱のブランクを示す図
【図２３】同上の組立封緘状態を示す斜視図
【図２４】同上の商品挿入時におけるフラップの外側への折曲状態を示す斜視図
【図２５】同上の封緘状態からの開封時における（２５Ａ）外側のフラップへの手掛状態を示す斜視図、（２５Ｂ）分割破断線及び切取破断線の破断過程を示す斜視図
【図２６】同上の開封後のフラップ切取状態を示す斜視図
【図２７】この発明の第４実施形態に係る段ボール製包装箱のブランクを示す図
【図２８】同上の組立封緘状態を示す斜視図
【図２９】同上の商品挿入時におけるフラップの外側への折曲状態を示す斜視図
【図３０】同上の封緘状態からの開封時における（３０Ａ）外側のフラップへの手掛状態を示す斜視図、（３０Ｂ）分割破断線及び切取破断線の破断過程を示す斜視図
【図３１】同上の開封後のフラップ切取状態を示す斜視図
【図３２】この発明の第５実施形態に係る段ボール製包装箱のブランクを示す図
【図３３】同上の組立封緘状態を示す斜視図
【図３４】同上の商品挿入時におけるフラップの外側への折曲状態を示す斜視図
【図３５】同上の封緘状態からの開封時における（３５Ａ）外側のフラップへの手掛状態を示す斜視図、（３５Ｂ）分割破断線及び切取破断線の破断過程を示す斜視図
【図３６】同上の開封後の（３６Ａ）片側のフラップ開放状態を示す斜視図、（３６Ｂ）両側のフラップ切取状態を示す斜視図
【図３７】特許文献１に記載の段ボール製包装箱の（３７Ａ）組立封緘状態を示す斜視図、（３７Ｂ）同上の開封状態を示す斜視図
【発明を実施するための形態】
【００１９】
まず、この発明の第１参考形態を図１乃至図５に基づいて説明する。なお、後続の各実施形態では、この第１参考形態の各部に対応する部分に同一の符号を付して、その説明を省略し、それぞれの実施形態の特徴部分について言及するに留めることとする。
【００２０】
この包装箱は、いわゆるＡ式（JIS Z 1507の02形式）と呼ばれる汎用的な溝切形であり、図１に示す段ボールのブランクから組み立てられ、比較的高さが低く、幅寸法が大きなものとなっている。ブランクの材料である段ボールは、表ライナと裏ライナの間に波状の中芯が挟まれた構造とされ、中芯の段目は、ブランクの縦方向へ向けられている。
【００２１】
このブランクでは、各一対の幅方向及び長さ方向の側面板１，２が罫線を介して横方向に交互に連設され、一方の側面板１の外側端には継代片３が連設されている。各一対の側面板１，２には、上端にフラップ４，５がそれぞれ連設され、下端にフラップ６，７がそれぞれ連設されている。
【００２２】
一対の側面板１の上端から延びる一対のフラップ４には、先端縁中央部から側面板１との境界である基部方向へ向かって分割破断線１１が入れられている。分割破断線１１は、断続する切目１１ａが破断の逸脱を防止する誘導部を有するジッパ型とされている。この実施形態では、誘導部が分岐して二股状をなし、切目１１ａはＹ字状となっている。
【００２３】
各一対の側面板１，２とそれぞれの上端から延びる一対のフラップ４，５の境界には、切取破断線１２が入れられている。切取破断線１２は、段ボールの裏面から押圧した押罫線に重ねて、段ボールの裏面と表面とに貫通する切目が多数断続したミシン目を入れたものとされている。
【００２４】
各一対のフラップ４，５には、それぞれ側面板１，２との境界をなす切取破断線１２に近接して並行するように、段ボールの表面側を凹ませた押罫線から成る逆罫線１３が入れられている。
【００２５】
各一対の側面板１，２とフラップ４，５のそれぞれの境界部分では、逆罫線１３を挟んで平行に延びるように、裏面側が凹んで段ボールの厚さが減少した溝状凹部が形成され、切取破断線１２は、この溝状凹部の範囲内に位置している。
【００２６】
また、一対のフラップ５の先端中央部には、両側の弧状の破断線間にヒンジとなる折目線を入れて、手掛部１４が設けられ、一対の側面板１の上部には、長円形状に破断線と折目線を入れて、押込に伴い取手穴１５となる部分が設けられている。
【００２７】
上記のようなブランクは、包装箱の製造に際し、各一対の側面板１，２の境界の罫線に沿って折り重ね、継代片３を反対側の側面板２の側端部の内面に貼り付けることにより、偏平な折畳状態としておく。
【００２８】
そして、図２に示すように、組み立てて商品を包装するには、各一対の側面板１，２を四角筒状を形成するように稜部で折り曲げて立体化し、側面板１，２からそれぞれフラップ６，７を内側へ折り曲げ、各一対のフラップ６，７を内外に順次重ね合わせて接着することにより、底面を閉止する。
【００２９】
この際、箱内に挿入しようとする商品と、天面側の各一対のフラップ４，５の先端との干渉を避けるため、図３に示すように、各一対のフラップ４，５を外側へ折り曲げた状態で、箱内に商品を挿入する。
【００３０】
このとき、段ボールは、中芯が押し潰された側へ折れ曲がりやすいという特性に従い、表面側が押し潰された逆罫線１３に沿って折れ曲がるので、切取破断線１２の切目間の繋部が破断してしまうことがない。
【００３１】
その後、図２に示すように、各一対のフラップ４，５を順次内側へ折り曲げて重ね合わせ、ホットメルト等の接着剤によりフラップ４，５を接着し、一対のフラップ５の先端同士を突き合わせて、天面が閉止された封緘状態とする。
【００３２】
このフラップ４，５の内側への折り曲げに際して、段ボールは、表面側が押し潰された逆罫線１３ではなく、ミシン目状に切目が断続し、溝状凹部により内側への折曲抵抗が弱められた切取破断線１２に沿って容易に折れ曲がる。
【００３３】
このように封緘した包装箱を発送元から小売店へ送り、店頭で商品の陳列のため開封する際には、図４（４Ａ）に示すように、一対のフラップ５のうち、いずれか一方のフラップ５の手掛部１４を押し込んで、その抜出部に形成された開口部の端縁に手を掛け、フラップ５を上方へ引っ張る。
【００３４】
これに伴い、フラップ５と共に、その裏面に接着された一対のフラップ４も上方へ引っ張られ、一対のフラップ４の分割破断線１１が破断し始める。このとき、分割破断線１１は、断続する切目１１ａが誘導部を有するジッパ型とされていることから、切目１１ａの間で裂目が繋がり、途切れることなくフラップ４を切断することができる。
【００３５】
そして、図４（４Ｂ）に示すように、このフラップ５をさらに上方へ引っ張ると、分割破断線１１が完全に破断して、一対のフラップ４が分割され、また、側面板１とフラップ４の境界の切取破断線１２も一側部分が破断する。
【００３６】
次に、他方のフラップ５も同様にして、手掛部１４から引き上げると、側面板１とフラップ４の境界の切取破断線１２の他側部分が破断し、図５（５Ａ）に示すように、分割破断線で分割された一対のフラップ４とこれに重なり合う一対のフラップ５とが接着されたままの状態で一体となって開く。
【００３７】
その後、図５（５Ｂ）に示すように、一対のフラップ５と側面板２の境界の切取破断線１２を破断させると、一対のフラップ５がその裏面に接着されたフラップ４の分割部分と共に側面板２から切り取られ、天面が全体的に開口したトレイ状態となる。
【００３８】
このように、上記包装箱では、重なり合ったフラップ４，５のうち、外側のフラップ５に手を掛けて引っ張るだけで、分割破断線１１及び切取破断線１２が破断して、分割破断線１１で分割されたフラップ４とこれに重なるフラップ５とが接着状態で一体となって開くので、容易に開封することができ、商品陳列時の作業負荷が軽減される。
【００３９】
なお、陳列状況や商品の性質等により、各一対のフラップ４，５を完全に側面板１，２から切り取る必要がない場合には、一対のフラップ５の基部の切取破断線１２を、ミシン目状の切目のない通常の押罫線とし、その押罫線に沿って一対のフラップ５を折り曲げるようにしてもよい。
【００４０】
次に、この発明の第１実施形態を図６乃至図１０に基づいて説明する。
【００４１】
この包装箱は、飲料入りＰＥＴボトル等の包装を想定して、上記第１参考形態のものよりも高さが高く、幅面の側面板１の幅が狭いものとされ、手掛部１４は、一方のフラップ５にのみ形成されている。
【００４２】
一対のフラップ４の分割破断線１１は、鉤状の切目が断続するジッパ型とされ、組立状態で手掛部１４を有する一方のフラップ５側へ偏り、破断の始端側から終端側へかけて、開封時のフラップ５の引張方向へ傾斜して延びており、分割破断線１１を破断する際、フラップ５の引張力が破断方向に有効に作用するようになっている。
【００４３】
一対のフラップ４及び手掛部１４を有する一方のフラップ５には、開封時における手掛部１４からの引っ張りに伴い、膨出方向へ撓みやすくするための補助罫線１６が入れられている。補助罫線１６は、開封時の引張位置に近い側から遠い側へ斜めに延び、段ボールの裏面側から押圧した押罫線とされている。
【００４４】
また、各一対の側面板１，２及び継代片３には、商品の大部分を露出させた陳列等のため、高さ方向の中間下部に、組立状態で全周に及ぶカットテープ等の切裂帯１７が設けられ、その切始部１７ａが側面板２を切り込んで形成されている。
【００４５】
このような包装箱では、天面を開口させる開封時に、手掛部１４から引き上げるフラップ５が短くて寸法上撓みにくい特性を有する場合でも、分割破断線１１の傾斜と補助罫線１６の存在により、上記第１参考形態と同様、フラップ５の手掛部１４に手を掛けて引っ張るだけで、分割破断線１１及び切取破断線１２を破断させることができる。
【００４６】
次に、この発明の第２実施形態を図１１乃至図１５に基づいて説明する。
【００４７】
この包装箱は、上記第１実施形態のものとほぼ同様であるが、一対のフラップ４の分割破断線１１は、破断の始端側から終端側へかけて、開封時のフラップ５の引張方向へ波打つように湾曲して延びており、分割破断線１１を破断する際、フラップ５の引張力が破断方向に有効に作用するようになっている。
【００４８】
また、手掛部１４を有する一方のフラップ５には、手掛部１４の付近から斜めに延びる補助罫線１６に加えて、その終端付近から側縁方向へかけて、基部寄りから先端側へ斜めに延びる補助罫線１６が２本ずつ入れられている。
【００４９】
このような包装箱でも、上記第１実施形態と同様、天面を開口させる開封時に、手掛部１４から引き上げるフラップ５が短くて寸法上撓みにくい特性を有しているものの、分割破断線１１の湾曲と補助罫線１６の存在により、フラップ５の手掛部１４に手を掛けて引っ張るだけで、分割破断線１１及び切取破断線１２を容易に破断させることができる。
【００５０】
次に、この発明の第３実施形態を図１６乃至図２１に基づいて説明する。
【００５１】
この包装箱は、耐圧強度の大きい厚手の段ボールを材料とし、一対のフラップ４には、先端縁側の幅が広く分割破断線１１へかけて次第に幅が狭くなるテーパー状の切欠部１１ｂが設けられ、切欠部１１ｂは、最初に上方へ引っ張ることが指定されたフラップ５に重なる部分に位置している。
【００５２】
これにより、開封に際し、フラップ５を引き上げると、フラップ４が切欠部１１ｂで上下に分かれ始め、分割破断線１１の始端部の破断が誘発され、分割破断線１１を切欠部１１ｂから容易に破断することができる。
【００５３】
また、切取破断線１２に臨んで隣り合う側面板１，２の上部には、側面板１，２同士の境界の罫線から二股に分岐して斜め上方へ延びる折込線１８が入れられ、継代片３にも折込線１８が入れられている。折込線１８は、段ボールの裏面から押圧された押罫線と段ボールの表裏に貫通する切目を組み合わせたものとされている。
【００５４】
このような包装箱は、図２１（２１Ａ）に示すように、開封して天面全体を開口させた状態において、側面板１，２同士が隣り合うコーナー上部を内側へ押し込んで、折込線１８を山折りし、その間に挟まれた罫線が谷折りされようにすると、側面板１，２同士が隣り合うコーナー上部に、内側へ窪んだ支持凹部１８ａが形成される。
【００５５】
これにより、図２１（２１Ｂ）に示すように、店頭での商品の陳列に際し、複数個の包装箱を積み上げた際、上段側の包装箱が下段側の包装箱の支持凹部１８ａで支持され、安定した状態で積上陳列できる。
【００５６】
なお、この実施形態では、支持凹部１８ａを、各一対の側面板１，２が隣り合う４つの全てのコーナー上部に設けているが、支持凹部１８ａは、少なくとも一組の対角位置にあるコーナー部に設けておけば、積上陳列時に上段側の包装箱を支持することができる。
【００５７】
次に、この発明の第２参考形態を図２２乃至図２６に基づいて説明する。
【００５８】
この包装箱は、上記第１参考形態及び第１乃至第３実施形態のものとは異なり、分割破断線１１が長さ方向の一対のフラップ５に入れられ、分割破断線１１の一側に臨んで、手掛部１４が設けられている。そして、封緘状態において、長さ方向の一対のフラップ５が外側に、幅方向の一対のフラップ４が内側に重なり合い、分割破断線１１が内側の一対のフラップ４の先端縁間に位置するようになっている。
【００５９】
この包装箱の開封に際しては、図２５（２５Ａ）に示すように、手掛部１４に手を掛けて、図２５（２５Ｂ）に示すように、一対のフラップ５を先端縁が突き合わされた状態のまま、分割破断線１１に臨む一側部分から引き上げて、分割破断線１１及びフラップ５の基部の切取破断線１２を破断させる。同様にして、一対のフラップ５の分割破断線１１に臨む他側部分を引き上げ、フラップ５の基部の切取破断線１２を破断させる。
【００６０】
その後、図２６に示すように、一対のフラップ４の基部の切取破断線１２を破断させると、分割破断線１１で分割された一対のフラップ５と共に、フラップ４が側面板１から切り取られ、天面が全体的に開口したトレイ状態となる。
【００６１】
このような包装箱でも、上記各実施形態と同様、外側のフラップ５に手を掛けて引っ張るだけで、分割破断線１１及び切取破断線１２が破断して、分割破断線１１で分割されたフラップ５とこれに重なるフラップ４とが接着状態で一体となって開くので、容易に開封して天面全体を開口させ、商品を陳列することができる。
【００６２】
次に、この発明の第４実施形態を図２７乃至図３１に基づいて説明する。
【００６３】
この包装箱は、上記第２参考形態と同様、封緘状態において、長さ方向の一対のフラップ５が外側に、幅方向の一対のフラップ４が内側に重なり合うものであるが、外側に重なり合う一対のフラップ５に入れられた分割破断線１１の手掛部１４は、内側に重なり合うフラップ４の先端縁に臨むように配置されており、分割破断線１１は、破断の始端側から終端側へかけて、開封時のフラップ５の引張方向へ傾斜して延びている。
【００６４】
このような包装箱では、手掛部１４を押し込んで、一対のフラップ５と共にフラップ４の先端部分を掴んで引き上げることにより開封できるので、フラップ４，５の接着が剥がれることがなく、また、フラップ４の両側縁が切取破断線１２を破断させる切刃として作用するので、開封の確実性が向上する。
【００６５】
次に、この発明の第５実施形態を図３２乃至図３６に基づいて説明する。
【００６６】
この包装箱は、上記第２参考形態及び第４実施形態と同様、封緘状態において、長さ方向の一対のフラップ５が外側に、幅方向の一対のフラップ４が内側に重なり合うものであるが、分割破断線１１が内側の一方のフラップ４上に位置していることから、このフラップ４には、手掛部１４が重なる部分に手入凹部４ａが形成され、図３５（３５Ａ）に示すように、開封時に手掛部１４をフラップ４に干渉することなく押し込めるようになっている。
【００６７】
また、分割破断線１１は、破断の始端側である手掛部１４から終端側である切取破断線１２へかけて、開封時のフラップ５の引張方向へ弧状に湾曲し、分割破断線１１を破断する際、フラップ５の引張力が破断方向に有効に作用するようになっている。
【００６８】
さらに、一対のフラップ５には、封緘状態で裏面側に重なる他方のフラップ４の先端縁が位置する部分の付近に、そのフラップ４の先端縁に沿うように、可撓線１９が入れられている。可撓線１９は、切目が断続するものとされている。
【００６９】
これにより、開封に際し、図３５（３５Ｂ）に示すように、手掛部１４から一対のフラップ５を上方へ捲るようにして、他方のフラップ４の方向へ引っ張ると、一対のフラップ５が可撓線１９を軸に一旦折れ曲がるので、切取破断線１２を段階的に容易に破断させることができる。
【００７０】
なお、上記第１乃至第５の各実施形態では、側面板１，２の稜部が直角をなす直方体の包装箱を例示したが、側面板１，２の間に傾斜した面取部が介在する包装箱においても、同様の構成を適用できる。
【００７１】
また、段ボール製の包装箱について例示したが、罫線の押圧方向等、段ボールの特性に依存する構造を除き、板紙製の包装箱にも同様の構成を適用できる。
【００７２】
また、商品を収納した後、各一対のフラップ４，５を天面で重ね合わせて封緘する通常の包装箱について例示したが、商品を包み込むように各一対の側面板１，２を横倒し状態で四角筒状とし、両端面で各一対のフラップ４，５を重ね合わせて封緘するラップラウンド式の包装箱においても、同様の開封構造を採用することができる。
【符号の説明】
【００７３】
１，２  側面板
３  継代片
４，５  フラップ
４ａ  手入凹部
６，７  フラップ
１１  分割破断線
１１ａ  切目
１１ｂ  切欠部
１２  切取破断線
１３  逆罫線
１４  手掛部
１５  取手穴
１６  補助罫線
１７  切裂帯
１７ａ  切始部
１８  折込線
１８ａ  支持凹部
１９  可撓線
【図１】
0006524141.tif 000002
【図２】
0006524141.tif 000003
【図３】
0006524141.tif 000004
【図４】
0006524141.tif 000005
【図５】
0006524141.tif 000006
【図６】
0006524141.tif 000007
【図７】
0006524141.tif 000008
【図８】
0006524141.tif 000009
【図９】
0006524141.tif 000010
【図１０】
0006524141.tif 000011
【図１１】
0006524141.tif 000012
【図１２】
0006524141.tif 000013
【図１３】
0006524141.tif 000014
【図１４】
0006524141.tif 000015
【図１５】
0006524141.tif 000016
【図１６】
0006524141.tif 000017
【図１７】
0006524141.tif 000018
【図１８】
0006524141.tif 000019
【図１９】
0006524141.tif 000020
【図２０】
0006524141.tif 000021
【図２１】
0006524141.tif 000022
【図２２】
0006524141.tif 000023
【図２３】
0006524141.tif 000024
【図２４】
0006524141.tif 000025
【図２５】
0006524141.tif 000026
【図２６】
0006524141.tif 000027
【図２７】
0006524141.tif 000028
【図２８】
0006524141.tif 000029
【図２９】
0006524141.tif 000030
【図３０】
0006524141.tif 000031
【図３１】
0006524141.tif 000032
【図３２】
0006524141.tif 000033
【図３３】
0006524141.tif 000034
【図３４】
0006524141.tif 000035
【図３５】
0006524141.tif 000036
【図３６】
0006524141.tif 000037
【図３７】
0006524141.tif 000038